(57)【特許請求の範囲】
【請求項１】
自己組織化マップを用いた健康状態判定支援システムであって、
複数の加速度脈波の各一周期分の波形データを集めて自己組織化マップを学習させて得られた脈波マップの情報から得られた、加速度脈波の波形形状、加速度脈波の波形形状のばらつき、さらに、測定波形データから得られた、脈拍数、加速度脈波の周期の安定性（ふらつき）の４要素を含むベクトルを入力ベクトルとして新たに自己組織化マップを学習させて得られた脈情報マップの情報を記憶する記憶手段と、
被験者の加速度脈波を測定する測定手段と、
被験者の健康状態を示す情報を表示手段に表示させるＳＯＭ処理手段とを備え、
前記脈情報マップの入力ベクトルの要素である、加速度脈波の波形形状と波形形状のばらつきとは、前記脈波マップから求められ、
前記脈情報マップの入力ベクトルの要素である、脈拍数と加速度脈波の周期の安定性（ふらつき）とは、加速度脈波の元の波形データから求められ、
前記ＳＯＭ処理手段は、
前記脈波マップを前記記憶手段から読み出した情報に基づき表示手段に表示し、
前記脈波マップの表示中に所定の操作ボタンが操作されたときに、前記記憶手段から前記脈情報マップの情報を読み出し、
前記測定手段により測定された被験者の加速度脈波の情報及び前記脈波マップから、被験者の前記４要素に関する情報を取得し、
その取得した情報に基づき、読み出した脈情報マップ上に被験者の位置を示すマークを配置し、
そのマークが配置された脈情報マップを表示手段に表示させる、
ことを特徴とする健康状態判定支援システム。
【請求項２】
前記脈情報マップにおいて各ノードの表示色が、各ノードにおける健康状態の良／悪の程度を示す健康点数に応じて設定され、
前記健康点数は、前記脈情報マップの各ノード毎に、加速度脈波の波形形状を示す値と、加速度脈波の波形形状のばらつきを示す値と、脈拍数と、加速度脈波の周期の安定性（ふらつき）を示す値とに基づいて算出される、
ことを特徴とする請求項１記載の健康状態判定支援システム。
【請求項３】
前記脈情報マップにおいて各ノードの表示色が、各ノードにおける各要素の値に応じて設定される、ことを特徴とする請求項１記載の健康状態判定支援システム。
【請求項４】
前記脈情報マップは、前記入力ベクトルの要素として前記４要素にさらに、加速度脈波の情報をカオス解析して得られるＴＰＭとＲＰ−ｄｗの情報を追加して生成された自己組織化マップである、ことを特徴とする請求項１から３のいずれか１つに記載の健康状態判定支援システム。
【請求項５】
自己組織化マップを用いた健康状態判定支援システムであって、
複数の加速度脈波の各一周期分の波形データを集めて自己組織化マップを学習させて得られた脈波マップの情報から得られた、加速度脈波の波形形状、加速度脈波の波形形状のばらつき、さらに測定波形データから得られた、脈拍数、加速度脈波の周期の安定性（ふらつき）の４要素を含むベクトルを入力ベクトルとして自己組織化マップを学習させて得られた脈情報マップの情報を記憶する記憶手段と、
被験者の加速度脈波を測定する測定手段と、
被験者の健康状態を示す情報を表示手段に表示させるＳＯＭ処理手段とを備え、
前記脈情報マップの入力ベクトルの要素である、加速度脈波の波形形状と波形形状のばらつきとは、前記脈波マップから求められ、
前記脈情報マップの入力ベクトルの要素である、脈拍数と加速度脈波の周期の安定性（ふらつき）とは、加速度脈波の元の波形データから求められ、
前記ＳＯＭ処理手段は、
前記脈波マップを前記記憶手段から読み出した情報に基づき表示手段に表示し、
前記脈波マップの表示中に所定の操作ボタンが操作されたときに、前記記憶手段から前記脈情報マップの情報を読み出し、
前記測定手段により測定された被験者の加速度脈波の情報及び前記脈波マップから、被験者の前記４要素に関する情報を取得し、
その取得した情報に基づき、読み出した脈情報マップ上に被験者の位置を示すマークを配置し、
そのマークが配置された脈情報マップを表示手段に表示させ、
前記脈情報マップにおいて各ノードの表示色が、各ノードにおける健康状態の良／悪の程度を示す健康点数に応じて設定され、
前記健康点数は、前記脈情報マップの各ノード毎に、加速度脈波の波形形状を示す値と、加速度脈波の波形のばらつきを示す値と、脈拍数と、加速度脈波の周期のばらつきを示す値とに基づいて算出される、
ことを特徴とする健康状態判定支援システム。
【請求項６】
自己組織化マップを用いた健康状態判定支援システムであって、
加速度脈波の一周期分の波形データを用いて自己組織化マップを学習させて得られた脈波マップの情報と、加速度脈波の波形形状、加速度脈波の波形形状のばらつき、脈拍数、加速度脈波の周期のばらつきの４要素を含むベクトルを入力ベクトルとして自己組織化マップを学習させて得られた脈情報マップの情報を記憶する記憶手段と、
被験者の加速度脈波を測定する測定手段と、
被験者の健康状態を示す情報を表示手段に表示させるＳＯＭ処理手段とを備え、
前記脈情報マップの入力ベクトルの要素である、加速度脈波の波形形状と波形のばらつきとは、前記脈波マップから求められ、
前記脈情報マップの入力ベクトルの要素である、脈拍数と加速度脈波の周期のばらつきとは、加速度脈波の元の波形データから求められ、
前記ＳＯＭ処理手段は、
前記脈波マップを前記記憶手段から読み出した情報に基づき表示手段に表示し、
前記脈波マップの表示中に所定の操作ボタンが操作されたときに、前記記憶手段から前記脈情報マップの情報を読み出し、
前記測定手段により測定された被験者の加速度脈波の情報及び前記脈波マップから、被験者の前記４要素に関する情報を取得し、
その取得した情報に基づき、読み出した脈情報マップ上に被験者の位置を示すマークを配置し、
そのマークが配置された脈情報マップを表示手段に表示させ、
前記脈情報マップにおいて各ノードの表示色が、各ノードにおける各要素の値に応じて設定される、
ことを特徴とする健康状態判定支援システム。
【請求項７】
コンピュータを、自己組織化マップを用いた健康状態判定支援システムとして動作させるプログラムであって、
複数の加速度脈波の各一周期分の波形データを集めて自己組織化マップを学習させて得られた脈波マップの情報から得られた、加速度脈波の波形形状、加速度脈波の波形形状のばらつき、さらに、測定波形データから得られた、脈拍数、加速度脈波の周期の安定性（ふらつき）の４要素を含むベクトルを入力ベクトルとして自己組織化マップを学習させて得られた脈情報マップの情報が記憶手段に記憶されており、
前記プログラムは、
前記記憶手段から前記脈情報マップの情報を読み出す機能と、
測定手段により被験者の加速度脈波を測定する機能と、
前記測定手段により測定された被験者の加速度脈波の情報及び前記脈波マップから、被験者の前記４要素に関する情報を取得する機能と、
その取得した情報に基づき、前記記憶手段から読み出した脈情報マップ上に被験者の位置を示すマークを配置する機能と、
そのマークが配置された脈情報マップを表示手段に表示させる機能と、
前記脈情報マップの各ノード毎に、加速度脈波の波形形状を示す値と、加速度脈波の波形のばらつきを示す値と、脈拍数と、加速度脈波の周期の安定性（ふらつき）を示す値とに基づいて健康点数を算出する機能と、
前記脈情報マップにおいて各ノードの表示色が、各ノードにおける前記健康状態の良／悪の程度を示す健康点数に応じて設定する機能と、
をコンピュータに実行させる、
ことを特徴とするプログラム。
【請求項８】
コンピュータを、自己組織化マップを用いた健康状態判定支援システムとして動作させるプログラムであって、
複数の加速度脈波の各一周期分の波形データを集めて自己組織化マップを学習させて得られた脈波マップの情報から得られた、加速度脈波の波形形状、加速度脈波の波形形状のばらつき、さらに、測定波形データから得られた、脈拍数、加速度脈波の周期の安定性（ふらつき）の４要素を含むベクトルを入力ベクトルとして自己組織化マップを学習させて得られた脈情報マップの情報が記憶手段に記憶されており、
前記プログラムは、
前記記憶手段から前記脈情報マップの情報を読み出す機能と、
測定手段により被験者の加速度脈波を測定する機能と、
前記測定手段により測定された被験者の加速度脈波の情報及び前記脈波マップから、被験者の前記４要素に関する情報を取得する機能と、
その取得した情報に基づき、前記記憶手段から読み出した脈情報マップ上に被験者の位置を示すマークを配置する機能と、
そのマークが配置された脈情報マップを表示手段に表示させる機能と、
前記脈情報マップにおいて各ノードの表示色を、各ノードにおける各要素の値に応じて設定する機能と、
をコンピュータに実行させる、
ことを特徴とするプログラム。
【請求項９】
コンピュータを、自己組織化マップを用いた健康状態判定支援システムとして動作させるプログラムであって、
複数の加速度脈波の各一周期分の波形データを集めて自己組織化マップを学習させて得られた脈波マップの情報と、加速度脈波の波形形状、加速度脈波の波形形状のばらつき、さらに測定波形データから得られた、脈拍数、加速度脈波の周期の安定性（ふらつき）の４要素を含むベクトルを入力ベクトルとして自己組織化マップを学習させて得られた脈情報マップの情報が記憶手段に記憶されており、
前記脈情報マップの入力ベクトルの要素である、加速度脈波の波形形状と波形形状位置のばらつきとは、前記脈波マップから求められ、
前記脈情報マップの入力ベクトルの要素である、脈拍数と加速度脈波の周期の安定性（ふらつき）とは、加速度脈波の元の波形データから求められ、
前記プログラムは、
前記脈波マップを前記記憶手段から読み出した情報に基づき表示手段に表示する機能と、
前記脈波マップの表示中に所定の操作ボタンが操作されたときに、前記記憶手段から前記脈情報マップの情報を読み出す機能と、
測定手段により被験者の加速度脈波を測定する機能と、
前記測定手段により測定された被験者の加速度脈波の情報及び前記脈波マップから、被験者の前記４要素に関する情報を取得する機能と、
その取得した情報に基づき、前記記憶手段から読み出した脈情報マップ上に被験者の位置を示すマークを配置する機能と、
そのマークが配置された脈情報マップを表示手段に表示させる機能と
をコンピュータに実行させる、
ことを特徴とするプログラム。
【発明の詳細な説明】
【技術分野】
【０００１】
本発明は、自己組織化マップ、特に、被験者の脈波から得られる種々の情報に基づき学習させた自己組織化マップを用いた健康状態の判定支援システムに関する。
【背景技術】
【０００２】
自己組織化マップ（Self-Organizing Map：以下「ＳＯＭ」という。）はヘルシンキ工科大学のコホネンが考案した教師なしニューラルネットワークであり、高次元データを２次元に圧縮して表示する仕組みを、神経回路網をヒントにして実現したものである。このＳＯＭの手法によれば、多次元データを２次元のマップ上に投影することが可能となり、データの分類が視覚的に容易に可能となるため、種々の分野でＳＯＭの応用が研究されている（非特許文献１）。
【０００３】
例えば、健康診断の分野におけるＳＯＭの応用に関して特許文献１、２に開示されたものがある。特許文献１では、被験者の健康状態に関する生体データの種々の項目を、入力ベクトルとして用いて健康診断用のＳＯＭ（以下「健康マップ」という）を生成している。このようにして得られる健康マップに対し、患者の健康状態に関するデータを入力して、健康マップ上の対応するノードを強調表示させることで、患者の健康状態を視覚的に容易に認識することが可能となる。
【０００４】
ところで、心臓から送り出された血流が波動として末梢に伝達されると，心拍動，血行動態，細動脈系の性状変化など生理的条件によって修正され，波形のゆがみが生じる。血管がふくらむことによって血管の内径は変化する。そのときに発生する波動を特に容積脈波と言う。容積脈波は中枢から末梢にいたる血管動態に関して多くの情報を含んでいる。しかし、この容積脈波は基線が安定せず、また波形の起伏に乏しく，変曲点を評価する事が困難であるといった問題があった。そこで、近年、容積脈波の波形を２回微分した加速度脈波が提案され、この加速度脈波を用いた種々の研究がなされている。
【０００５】
図２２（ａ）に容積脈波の波形を示す。この脈波を微分したものが、図２２（ｂ）に示す速度脈波であり、さらにこの速度脈波を微分したものが、図２２（ｃ）に示す加速度脈波である。図２２（ｄ）は、加速度脈波の最大点から最大点までを一周期（Ｔ）として切り出した加速度脈波の波形例を示した図である。加速度脈波とは心臓の収縮期の波形であり、ａ波、ｂ波、ｃ波、ｄ波、ｅ波の５つの成分を含む。ａ波は基線ｌより上に位置する陽性波、ｂ波は基線ｌより下に位置する陰性波である。ｃ、ｄ、ｅ波は生体条件により陰性または陽性に変化する。基線ｌを基準として各成分波の頂点までの距離をａ、ｂ、ｃ、ｄ、ｅとしたときに、「血管年齢」は次式で与えられる。
【数１】
0005296392.tif 000002
【０００６】
従来知られている加速度脈波の分類法として佐野・小山内法がある（非特許文献２、３等参照）。佐野・小山内法は、図２３に示すように、加速度脈波の波形をおおまかにＡ〜Ｇの７種類に分類する。この分類によれば、加齢にともない、Ａ、Ｂ型の波形の比率が少なくなり、Ｄ，Ｅ，Ｆ，Ｇ型の波形の比率が高くなるという傾向がある。このように、加速度脈波の波形は健康状態と密接な関係があることが知られている。
【０００７】
特許文献３、４には、このような加速度脈波の波形に関する情報を学習させたＳＯＭを用いた健康診断装置が開示されている。
【０００８】
【特許文献１】特開２００３−２６３５０２号公報
【特許文献２】特開２００３−３１０５５８号公報
【特許文献３】特開２００７−０４４４２９号公報
【特許文献４】特開２００７−２０２９６４号公報
【非特許文献１】徳高平蔵、藤村喜久郎、山川烈監修、「自己組織化マップ応用事例集−ＳＯＭによる可視化情報処理」、海文堂、２００２年１０月
【非特許文献２】「加速度脈波による血液循環の評価とその応用」、佐野祐司他、労働科学，６１（３）、第１２９−１４３頁、１９８５年、
【非特許文献３】「加速度脈波による血液循環の評価とその応用（第２報）−波形定量化の試み−」、佐野祐司他、体力研究，６８、第１７−２５頁、１９８８年
【発明の開示】
【発明が解決しようとする課題】
【０００９】
酸素や栄養を体中に運ぶため重要な働きを担う血管は、健康なときは血液の圧力に耐えられる弾力としなやかさをもっている。しかし，喫煙や肥満，ストレス，生活習慣病など危険因子が加わることで動脈硬化が進み血管の病気である脳梗塞・高血圧性脳出血などを引き起こす。これらの病気ははっきりとした自覚症状もなく、突然起こる怖さがあり、予防のためには、日々の血管の状態をチェックすることが重要である。
【００１０】
特許文献３、４では、加速度脈波に着目し、その波形形状の情報に基づき生成されたＳＯＭを用いた健康診断装置が開示されている。しかし、より精度よく健康状態（血管の状態）の判定を行うためには、脈波の波形形状のみならず脈波から得られる種々の情報を総合的に判断することが望ましい。
【００１１】
本発明は、被験者の脈波から取得した種々の情報に基づき、総合的に、精度よく、且つ容易に被験者の健康状態を把握できる健康状態の判定システムを提供することを目的とする。
【課題を解決するための手段】
【００１２】
本発明に係る健康状態判定支援システムは、自己組織化マップを用いた健康状態判定支援システムである。健康状態判定支援システムは、複数の加速度脈波の各一周期分の波形データを集めて自己組織化マップを学習させて得られた脈波マップの情報から得られた、加速度脈波の波形形状、加速度脈波の波形形状のばらつき、さらに、測定波形データから得られた、脈拍数、加速度脈波の周期のばらつきの４要素を含むベクトルを入力ベクトルとして自己組織化マップを学習させて得られた脈情報マップの情報を記憶する記憶手段と、被験者の加速度脈波を測定する測定手段と、被験者の健康状態を示す情報を表示手段に表示させるＳＯＭ処理手段とを備える。脈情報マップの入力ベクトルの要素である、加速度脈波の波形形状と波形のばらつきとは、脈波マップから求められる。脈情報マップの入力ベクトルの要素である、脈拍数と加速度脈波の周期の安定性（ふらつき）とは、加速度脈波の元の波形データから求められる。ＳＯＭ処理手段は、脈波マップを記憶手段から読み出した情報に基づき表示手段に表示し、脈波マップの表示中に所定の操作ボタンが操作されたときに、記憶手段から脈情報マップの情報を読み出し、測定手段により測定された被験者の加速度脈波の情報及び脈波マップから、被験者の４要素に関する情報を取得し、その取得した情報に基づき、読み出した脈情報マップ上に被験者の位置を示すマークを配置し、そのマークが配置された脈情報マップを表示手段に表示させる。
【００１３】
本発明に係る別の態様の健康状態判定支援システムは、自己組織化マップを用いた健康状態判定支援システムである。第２の健康状態判定支援システムは、複数の加速度脈波の各一周期分の波形データを集めて自己組織化マップを学習させて得られた脈波マップの情報から得られた、加速度脈波の波形形状、加速度脈波の波形形状のばらつき、さらに測定波形データから得られた、脈拍数、加速度脈波の周期の安定性（ふらつき）の４要素を含むベクトルを入力ベクトルとして自己組織化マップを学習させて得られた脈情報マップの情報を記憶する記憶手段と、被験者の加速度脈波を測定する測定手段と、被験者の健康状態を示す情報を表示手段に表示させるＳＯＭ処理手段とを備える。脈情報マップの入力ベクトルの要素である、加速度脈波の波形形状と波形のばらつきとは、前記脈波マップから求められ、脈情報マップの入力ベクトルの要素である、脈拍数と加速度脈波の周期の安定性（ふらつき）とは、加速度脈波の元の波形データから求められる。
ＳＯＭ処理手段は、脈波マップを記憶手段から読み出した情報に基づき表示手段に表示し、脈波マップの表示中に所定の操作ボタンが操作されたときに、記憶手段から脈情報マップの情報を読み出し、測定手段により測定された被験者の加速度脈波の情報及び脈波マップから、被験者の４要素に関する情報を取得し、その取得した情報に基づき、読み出した脈情報マップ上に被験者の位置を示すマークを配置し、そのマークが配置された脈情報マップを表示手段に表示させる。
脈情報マップにおいて各ノードの表示色は、各ノードにおける健康状態の良／悪の程度を示す健康点数に応じて設定される。健康点数は、脈情報マップの各ノード毎に、加速度脈波の波形形状を示す値と、加速度脈波の波形のばらつきを示す値と、脈拍数と、加速度脈波の周期のばらつきを示す値とに基づいて算出される。
または、脈情報マップにおいて各ノードの表示色を、各ノードにおける各要素の値に応じて設定してもよい。
【００１４】
本発明に係る第１のプログラムは、コンピュータを、自己組織化マップを用いた健康状態判定支援システムとして動作させるプログラムである。複数の加速度脈波の各一周期分の波形データを集めて自己組織化マップを学習させて得られた脈波マップの情報と、加速度脈波の波形形状、加速度脈波の波形形状のばらつき、さらに測定波形データから得られた、脈拍数、加速度脈波の周期の安定性（ふらつき）の４要素を含むベクトルを入力ベクトルとして自己組織化マップを学習させて得られた脈情報マップの情報が記憶手段に記憶されている。脈情報マップの入力ベクトルの要素である、加速度脈波の波形形状と波形形状位置のばらつきとは、脈波マップから求められ、脈情報マップの入力ベクトルの要素である、脈拍数と加速度脈波の周期の安定性（ふらつき）とは、加速度脈波の元の波形データから求められる。第１のプログラムは、脈波マップを記憶手段から読み出した情報に基づき表示手段に表示する機能と、脈波マップの表示中に所定の操作ボタンが操作されたときに、記憶手段から脈情報マップの情報を読み出す機能と、測定手段により被験者の加速度脈波を測定する機能と、測定手段により測定された被験者の加速度脈波の情報及び脈波マップから、被験者の前記４要素に関する情報を取得する機能と、その取得した情報に基づき、記憶手段から読み出した脈情報マップ上に被験者の位置を示すマークを配置する機能と、そのマークが配置された脈情報マップを表示手段に表示させる機能とをコンピュータに実行させる。
【００１５】
本発明に係る別の態様のプログラムは、コンピュータを、自己組織化マップを用いた健康状態判定支援システムとして動作させるプログラムである。複数の加速度脈波の各一周期分の波形データを集めて自己組織化マップを学習させて得られた脈波マップの情報から得られた、加速度脈波の波形形状、加速度脈波の波形形状のばらつき、さらに、測定波形データから得られた、脈拍数、加速度脈波の周期の安定性（ふらつき）の４要素を含むベクトルを入力ベクトルとして自己組織化マップを学習させて得られた脈情報マップの情報が記憶手段に記憶されている。そのプログラムは、記憶手段から前記脈情報マップの情報を読み出す機能と、測定手段により被験者の加速度脈波を測定する機能と、測定手段により測定された被験者の加速度脈波の情報及び脈波マップから、被験者の４要素に関する情報を取得する機能と、その取得した情報に基づき、記憶手段から読み出した脈情報マップ上に被験者の位置を示すマークを配置する機能と、そのマークが配置された脈情報マップを表示手段に表示させる機能とをコンピュータに実行させる。
さらに、そのプログラムは、脈情報マップにおいて各ノードの表示色を、各ノードにおける健康状態の良／悪の程度を示す健康点数に応じて設定する機能をコンピュータに実行させてもよい。健康点数は、脈情報マップの各ノード毎に、加速度脈波の波形形状を示す値と、加速度脈波の波形のばらつきを示す値と、脈拍数と、加速度脈波の周期のばらつきを示す値とに基づいて算出される。
または、そのプログラムは、脈情報マップにおいて各ノードの表示色を各ノードにおける各要素の値に応じて設定する機能をコンピュータに実行させてもよい。
【発明の効果】
【００１６】
本発明によれば、加速度脈波の波形形状（血管の状態）、加速度脈波の波形のばらつき、脈拍数、加速度脈波の周期安定性（ばらつき）の４要素に基づく自己組織化マップを用いて健康状態の判定情報を提示する。これにより、数値ではなく、マップ上の位置で被験者の健康状態を特定できるため、種々の情報に基づく健康状態を視覚的に把握でき、４要素の情報を総合的に考慮した健康状態の把握が容易にかつ精度よく実現できる。
【発明を実施するための最良の形態】
【００１７】
以下、添付の図面を参照して本発明の実施形態を説明する。
本発明の実施形態として以下に説明する健康状態判定支援システムは、被験者の脈波から得られる種々の情報に基づくＳＯＭ（Self-Organizing Map:自己組織化マップ）を用いて健康状態の判定を支援するシステムである。
【００１８】
（実施の形態１）
１．システム構成
図１は、本発明の健康状態判定支援システム（以下「システム」という。）の構成の一例を示した図である。図１において、システムは、脈波に関する種々の情報に基づくＳＯＭの生成及びそのようなＳＯＭを用いた健康状態の判定処理を実行する情報処理装置１と、脈波を電気信号として検出するセンサ３１と、センサ３１からの出力信号を増幅する増幅器３３とからなる。
【００１９】
情報処理装置１は、その全体動作を制御する制御部１１と、画面表示を行う表示部１７と、ユーザが操作を行う操作部１９と、データやプログラムを記憶するデータ格納部２１とを備える。例えば、表示部１７は液晶ディスプレイ（ＬＣＤ）で構成され、操作部１９はキーボードやマウス等である。さらに、情報処理装置１は、アナログ信号を設定されたサンプリング周波数（サンプリングレート）でデジタル信号に変換するＡＤ変換器２３、及び外部機器やネットワークに接続するためのインタフェース２５を含む。
【００２０】
制御部１１は、脈波に関する種々の情報に基づくＳＯＭの作成を行うとともに、それらのＳＯＭに基づいて健康状態の判定情報を表示するＳＯＭ処理部１３と、センサ３１で検出された脈波の検出情報を処理する脈波測定部１５とを有する。制御部１１はＣＰＵやＭＰＵからなり、所定の制御プログラムを実行することで後述するＳＯＭ処理部１３、ＳＯＭ処理部１３及び脈波測定部１５の機能を実現する。制御部１１で実行される制御プログラムは通信回線を通じて、またはＣＤ−ＲＯＭ等の記録媒体により提供可能である。
【００２１】
データ格納部２１は脈波に関する種々のデータや制御プログラムを格納する手段であり、ハードディスク（ＨＤＤ）、不揮発性メモリ、光ディスク等で構成することができる。データ格納部２１は、制御部１１で実行される制御プログラム、測定された脈波に関する種々のデータ、ＳＯＭに関する情報等を格納する。
【００２２】
センサ３１は動脈の内圧の変化により生ずる指先の毛細血管の容積変化を計測した容積脈波を検出する。具体的には、センサ３１は透過型フォトセンサで指先のヘモグロビン濃度変化を吸光度変化として捉えて、容積脈波を測定する。このようなセンサには、例えば、日本光電社製の「ＴＬ−２０１Ｔ」がある。
【００２３】
２．自己組織化マップ（ＳＯＭ）
上記の構成を有する本システムの動作を説明する前に、本システムで取り扱うＳＯＭ（自己組織化マップ）について説明する。本システムが取り扱うＳＯＭには、脈波マップと、脈情報マップとがある。以下、各マップについて詳細に説明する。
【００２４】
２．１  脈波マップ
脈波マップは、測定した加速度脈波の一周期分の波形データを用いて作成したＳＯＭである。つまり、加速度脈波の波形を所定のサンプリング周期でサンプリングして得られた振幅値を入力ベクトルとする。この場合、サンプリング周期毎に得られた加速度脈波の波形データ（サンプリングデータ）の振幅値ｄjは、脈波の最大振幅値が１に、最小振幅値が０になるように正規化される。一周期分の加速度脈波の波形を示す波形データが（d1, d2, d3, …, dm）であるとき、脈波マップへの入力ベクトルは（d1, d2, d3, …, dm）となる。d1は最大点ａ（図２５（ｄ）参照）の振幅値とする。なお、脈波マップへの入力ベクトルは（d1, d2, d3, …, dk）（k≦m）としてもよい。図２（ａ）に脈波マップの一例を示す。同図に示すように脈波マップの全領域は領域（Ａ）〜（Ｇ）の７つの領域に分けられ、各領域は図２３に示す波形Ａ〜Ｇにそれぞれ対応する。
【００２５】
２．１  脈情報マップ
脈情報マップは、測定された加速度脈波のデータから２次的に得られる種々の情報に基づき作成されたＳＯＭである。具体的には、加速度脈波の波形データから次の４つの要素の情報を抽出する。
−血管の状態（加速度脈波の波形形状）
−加速度脈波の波形のばらつき
−脈拍（数）
−脈周期の安定性
【００２６】
「血管の状態」とは、加速度脈波の波形の形状、すなわち、図２３に示す波形Ａ〜Ｇのいずれの波形に近いかを示す値である。この値は以下のようにして求める。図２（ｂ）に示すように、脈波マップ上に、周期毎に切り出された被験者の波形データを複数個（複数周期分）配置（プロット）する。ここで、被験者の波形データは、その値に最も近い脈波マップ上のノード上に配置（プロット）される。マップ上の複数のプロット点を巡回セールスマン問題のアルゴリズムにしたがい最短経路で接続し、得られた経路で囲まれた領域の重心位置を求める。その重心位置が領域（Ａ）〜（Ｇ）のいずれにあるかを判定して値を求め、その値を血管の状態を示す値とする。例えば、領域（Ａ）〜（Ｇ）にそれぞれ点数１〜７を割り当てておくことで、点数化できる。または、各波形データがプロットされる領域に基づき各波形データに対する点数を求め、その点数の平均値を求め、その平均値を血管の状態を示す値としてもよい。
【００２７】
「加速度脈波の波形のばらつき」は次のようにして求める。図２（ｂ）に示す脈波マップ上のプロット点を直線で接続した経路の合計距離または各プロット点間の距離の平均値を、加速度脈波の波形のばらつき（以下単に「ばらつき」という。）として求める。測定した加速度脈波の波形がばらつくと、その測定値のマップ上でのプロット位置もばらつくため、直線の合計距離またはその平均値をばらつきと考えることができる。または、ばらつきの値は次式で求めてもよい。
【数２】
0005296392.tif 000003
上式において、ｎは計算に用いる１周期分の波形の数であり、１周期を（ｍ−１）個に分割した場合の、ｉ番目の波形におけるｊ番目の点の振幅値をｄijとする（図３参照）。なお、ｄjaveは、各波形のｊ番目のサンプリング点の振幅値の平均値を示す。すなわち、上式は、各波形についてサンプリング点の振幅値の分散を求め、さらにｍ個の波形についてその分散の平均値を求めている。また、上記以外に、ばらつきを示す他の統計学的な指標を用いてもよい。
【００２８】
「脈拍」は、所定時間（例えば１分）内にカウントされた脈拍の数であり、例えば次のようにして求められる。複数周期の加速度脈波の波形について、１周期における頂点aから次の周期の頂点aまでのサンプリング時間を測定する。そのサンプリング時間の平均時間を求め、その平均時間の逆数を求めることで脈拍を測定する。
【００２９】
「周期の安定性」は加速度脈波の周期のばらつきを示す値であり、加速度脈波の一周期の長さの標準偏差とする。周期の安定性として、加速度脈波の一周期の長さの分散を求めてもよい。
【００３０】
上記のようにして加速度脈波の測定値から４つの要素の値をそれぞれ求め、それら４つの要素からなるベクトルを入力ベクトルとしてＳＯＭを学習させることで、脈情報マップを作成する。入力ベクトルの例を下記表１に示す。
【表１】
0005296392.tif 000004
【００３１】
図４に、上記の４要素に基づき作成された脈情報マップの例を示す。また、同図において、脈情報マップの各ノード上に表示される数値は健康点数を示している。健康点数は０〜１００の値をとり、その値が０に近いほど健康状態が良好（正常値）であることを示し、１００に近いほど健康状態が悪いことを示す。健康点数の具体的な求め方については後述する。図４において、領域Ｇは健康点数が０点の領域とその近傍領域すなわち健康であることを示す領域である。領域Ｂは健康点数が１００点の領域とその近傍領域すなわち健康状態が最悪であることを示す領域である。
【００３２】
図５は、脈情報マップを構成する各要素について、その要素の値に基づき表示の色を区別して表示された脈情報マップの例を示す。以下、このような要素毎の数値に基づき表示の色分けを行って表示された脈情報マップを「要素マップ」という。これに対して、図４のような要素毎の数値に基づき表示の色分けを行っていない脈情報マップを「メインマップ」という。図５（ａ）〜（ｄ）はそれぞれ、血管の状態、ばらつき、脈拍、周期の安定性に対する要素マップを示す。それぞれ、各ノードにおける要素の値が「良い状態」を示す値から「悪い状態」を示す値に変化するにつれ、ノードの表示色を白からグレー、黒へと段階的に変化させている。すなわち、各要素マップにおいて白く表示される領域が、その要素の状態が悪いことを示す領域である。図４と図５を対比させると、図５（ｂ）、（ｄ）に示す要素マップにおけるばらつき及び周期の安定性が良くない領域と、図４のメインマップにおいて健康点数が１００点となる領域Ｂとが重なっていることから、ばらつき、周期安定性の悪い人は健康点数の悪い結果を示すことがわかる。また図５（ａ）から、血管の状態の要素も健康点数に若干関係があることがわかる。しかし、図５（ｃ）から、脈拍については健康点数とは特に関係がないように考えられる。
【００３３】
３．システム動作
図１に示す本システムの動作を説明する。本システムは、ＳＯＭ（自己組織化マップ）を生成する機能と、健康状態の判定情報を提示する機能とを有する。これらの機能は使用者により選択的に実行される。以下に、それぞれの機能を実現する際のシステムの処理を説明する。
【００３４】
３．１  ＳＯＭの生成
以下、本システムのＳＯＭを生成する機能の詳細を説明する。最初に、ＳＯＭの生成に使用される脈波データの測定処理について説明する。この処理は主として脈波測定部１５で実行される。
【００３５】
センサ３１により検出された被験者の容積脈波の情報は、増幅器３３で信号増幅され、ＡＤ変換器２３でサンプリング周期毎にデジタル信号に変換される。脈波測定部１５は、ＡＤ変換器２３からデジタル信号の脈波データを受けて二次微分することで、加速度脈波のデータを得る。取得された加速度脈波のデータは所定の方法で正規化がなされてデータ格納部２１に保存される。
【００３６】
上記の方法で複数の被験者に対する加速度脈波の波形データが収集され、データファイルとしてデータ格納部２１に保存される。その後、ＳＯＭ処理部１３は、収集された加速度脈波の波形データに基づき脈波マップを生成する。脈波マップの生成方法については例えば特許文献３、４に開示がある。
【００３７】
次に、ＳＯＭ処理部１３による脈情報マップの作成について図６のフローチャートを参照して説明する。
【００３８】
データ格納部２１には、前述の方法により加速度脈波の波形データから求められた、複数の被験者に対する４要素（血管の状態、ばらつき、脈拍、周期安定性）のデータがデータファイルとして保持されている。ＳＯＭ処理部１３は、データ格納部２１からそのデータファイルを読み出し、複数の被験者に対する４要素のデータを取得し（Ｓ１）、各要素の値を正規化する（Ｓ２）。なお、ＳＯＭ処理部１３は加速度脈波の波形データから直接４要素（血管の状態、ばらつき、脈拍、周期安定性）のデータを抽出してもよい。正規化は以下のように行われる。
【００３９】
要素毎に、正規化のための基準値と、正規化の上限値を設定する。基準値は健康（正常）であると判断されるデータ値の上限を指す値である。すなわち、要素の値が基準値以下のときは、その要素データは正常値（健康な場合の値）であると考えられる。要素の値はこれらの基準値と上限値を用いて以下のように正規化する。
【００４０】
１）要素の値が基準値以下の場合
各要素の値は全て１にする。すなわち、正規化後の値が１であることは、そのデータが正常値（健康な場合の値）であることを意味する。
２）要素の測定値が基準値を超える場合
要素の値を基準値で除した値を正規化した値とする。
３）２）により求められた値が上限値を超える場合
正規化後の値は上限値にされる。
【００４１】
例えば、「血管の状態」の要素に対して、基準値を４．００、正規化後の上限値を１．２５と定める。被験者の「血管の状態」の測定値が３．０である場合、その被験者の「血管の状態」の値は、基準値（１．２５）以下であるので１に正規化される。また、被験者の「血管の状態」の測定値が６．０の場合、その値を基準値で正規化すると、１．５（＝６．０／４．０）となるが、その値が上限値（１．２５）を超えるため、最終的に、１．２５（上限値）に設定される。他の要素についても同様にして正規化される。このようにすることにより「血管の状態」の値は１．０〜１．２５の値をとり得る。
【００４２】
ステップＳ２の後、多数の被験者に対する正規化した４要素の値を用いてＳＯＭ（自己組織化マップ）を学習させてＳＯＭ（脈情報マップ）を生成する（Ｓ３）。
【００４３】
そして、生成されたＳＯＭを構成するノード毎に、各ノードの４要素の値を用いて健康点数を計算する（Ｓ４）。健康点数は脈情報マップのデータとともにデータ格納部２１に保持される。
【００４４】
ここで、健康点数の求め方について説明する。上記の方法で正規化された各要素の値を用いてまず仮の健康点数ＭＫiを次式で求める。
【数３】
0005296392.tif 000005
【００４５】
上式において、ＷＶnは第ｎ番目の要素の全サンプルデータ中の最悪の値である。ＮVは正常値であり、１である。ｎは要素の数であり、４である。ｉは被験者を示す値である。Ｘniは被験者のデータであり、より正確には第ｉ番目の被験者の第ｎ番目の要素（検査項目）の値である。上記の仮の健康点数ＭＫiは点数が高いほど、すなわち１００点に近いほど、健康であることを示す。なお、本実施形態では、点数が高いほど、すなわち１００点に近いほど、健康状態が悪いことを示すようにするため、最終的に健康点数を（１００−ＭＫi）で計算する。こうすれば、健康点数は、点数が高くなれば、４要素が悪い方向にあることを示し、０点は４項目全てが正常値であることを示す。
【００４６】
ステップＳ４の後、求めた健康点数に応じて各ノードの表示色を設定する（Ｓ５）。以上のようにしてメインマップが生成される。
【００４７】
要素マップは、上記ステップＳ３で得られたＳＯＭ（脈情報マップ）の情報を用いて作成できる。すなわち、各ノードについて、要素毎に、要素の値に応じてノードの表示色を設定することで生成される。要素マップに関して、１つのマップにおいて１の要素についてのみ表示色を変更してもよいし、１つのマップ内で複数の要素の状況が分かるように、１つのマップ内で複数の要素について同時に表示色を変更させてもよい。
【００４８】
３．２  ＳＯＭを用いた健康状態の判定
本システムにおいて健康状態の判定情報を提示する機能が選択され、実行されると、まず、図７に示す診断画面７０が表示される。診断画面７０においては脈波マップ７１が表示される。領域７２においては、被験者の測定された加速度脈波の連続した波形が表示される。領域７３においては、測定された加速度脈波の１周期毎に切り出された波形がそれぞれ表示される。さらに診断画面７０は、被験者の脈波の測定を開始するためのボタン７４を有する。ボタン７５は測定されたデータを保存するためのボタンである。ボタン７６、７７はそれぞれメインマップ、要素マップを表示するためのボタンである。
【００４９】
図８のフローチャートを参照して健康状態の判定情報を提示する機能の実行時の処理について説明する。
【００５０】
測定開始ボタン７４が押下されると、センサ３１により被験者の脈波（容積脈波）が測定され、脈波測定部１５により、測定した容積脈波から加速度脈波の周期毎の波形データが算出され、データ格納部２１に格納される（Ｓ２１）。そして、複数周期分（ここでは７周期分）の波形データを脈波マップ上へ配置（プロット）する。すなわち、測定した波形データを、脈波マップを構成するノード群の中の最も近いノード上にプロットする（Ｓ２２）。例えば図２（ｂ）の脈波マップ上部の破線内に示されるように、複数個（図９の例では７個）の測定データが配置される。その際、全体の経路長が最短となるように各点間が直線で結ばれる。加速度脈波の測定値及び脈波マップ上へプロットした各点の位置関係に基づき、４要素（血管の状態、ばらつき、脈拍、周期安定性）の値を算出する（Ｓ２３）。算出した値に基づき、表示すべきコメント文を選択する（Ｓ２４）。なお、コメント文は予めデータ格納部２１に保持しておき、４要素の値に基づき、保持しているデータ文の中から選択するものとする。マップ上への測定値のプロットならびに加速度脈波の測定値及びコメントを診断画面７０上に表示する（Ｓ２５）。こうして例えば図９に示すような診断画面７０が表示される。同図上では、測定された、ばらつき、脈拍、周期安定性の値が表示され、それらの数値に対するコメントも合わせて表示されている。なお、図９は、５５歳の女性の被験者の健康状態の判定結果を示した図である。
【００５１】
診断画面７０においてメインマップボタン７６が押下されると、図１０に示すような、４要素のデータに基づき作成されたメインマップが表示される。メインマップ上には、図９の被験者のデータがプロットされている（矢印参照）。図１０に示すメインマップ画面の右側部分には被験者の情報（名称、年齢、４要素の値、等）が表示される。また、左側部分にはボタン７８ａ〜７８ｃが配置されている。ボタン７８ａは、画面右側に表示される被験者の情報の表示の有無を切り替えるためのボタンである。ボタン７８ａの押下により、画面上に被験者の情報を表示させたり、表示させなかったりすることができる。ボタン７８ｂは、４要素（血管の状態、ばらつき、脈拍及。周期安定性）の各要素に対する正常値を示す画面を表示させるためのボタンである。ボタン７８ｂの押下により、各要素の正常値を示す画面の表示の有無を切り替えることができる。ボタン７８ｃは、全ノードに対して各ノードの健康点数の表示の有無を切り替えるためのボタンである。ボタン７８ｃの押下により、全ノードに対して、各ノードの健康点数を表示させたり、健康点数を表示させなかったりすることができる。図１１のフローチャートを参照してメインマップの表示方法を説明する。
【００５２】
被験者の４要素（血管の状態、ばらつき、脈拍、周期安定性）のデータを取得する（Ｓ３１）。取得したデータを正規化する（Ｓ３２）。被験者の健康点数を計算する（Ｓ３３）。正規化した被験者のデータを、メインマップ上へ配置する（Ｓ３４）。被験者のデータが配置された、すなわち、メインマップ上の被験者のデータが対応する位置に被験者を特定するマークが表示されたメインマップを表示する（Ｓ３５）。なお、被験者を特定するマーク上にはその被験者の健康点数が表示される。
【００５３】
図４に示したメインマップでは、ノード毎に健康点数の数値が示されていたが、図１０に示すメインマップでは健康点数の数値は示されていない。図１０に示すメインマップでは、健康点数に基づき各ノードの表示色を明確に異ならせている。つまり、健康点数の範囲に応じて、色分けしている。具体的には、健康点数を、０（健康）、１〜１９（健康）、２０〜３９（危険域１）、４０〜５９（危険域２）、６０〜７９（危険域３）、８０〜１００（危険域４）の６つの範囲に分け、それぞれの範囲毎に異なる表示色を設定する。このように色分けすることで、数値で示した場合よりも、健康の状態をより感覚的に認識することが可能となる。
【００５４】
図９に示す診断画面７０において要素マップボタン７７が押下されると、図１２に示すような要素マップが表示される。要素マップ上には、図９の被験者のデータがプロットされている（矢印参照）。なお、図５に示した要素マップでは、各ノードに健康点数の数値が示されていたが、図１２の例では示していない。しかし、図中矢印で示すノード上には当該被験者の健康点数として０点（正常値）が表示されている。図１２に示す画面においてボタン７８ｃを押下することで全ノード上へ健康点数を表示することも可能である。また、図５に示した要素マップでは、要素の項目毎に４つのマップを表示していたが、図１２に示す要素マップでは、１つのマップ上で要素毎に、要素の値に応じて色分けして表示している。具体的には、４つの要素（血管の状態、ばらつき、脈拍、周期安定性）のそれぞれについて、２０〜６０（危険域１）、６０〜１００（危険域２）に２つにグループ分けし、色分けして表示している。このとき、４つの要素（血管の状態、ばらつき、脈拍、周期安定性）の値については予め、最小値が０、最大値が１００となるようにさらに正規化した後の値でグループ分けする。図１２に示すように、このように色分けすることで、数値で示した場合よりも、健康の状態をより感覚的に認識することが可能となる。
【００５５】
図１３は、本システムによる、インフルエンザに感染した６歳男性被験者の健康状態の判定情報を示した図である。図１４、図１５に同じ被験者に対するメインマップ、要素マップを示す。図１３から、血管の状態、ばらつき、脈周期の安定性は良いことが容易にわかる。図１５に示す要素マップからは、脈拍が多すぎることが読み取れる。図１４のメインマップからは、要安静の領域である危険域３（６０−７９）内にあることが認識できる。また、要素マップから、被験者のデータが脈拍の危険域(６０−１００)内にあることが認識できる。
【００５６】
図９に戻り、データ保存ボタン７５が押下されると、ＳＯＭ処理部１３により、図１６に示すようなデータ保存のための画面が表示される。ここで、入力完了ボタンが押下されると、その被験者の４要素のデータがデータ格納部２１（図１参照）に保存される。保存されたデータは、その後に、データ格納部２１から取り出して適宜利用することが可能となる。例えば、ＳＯＭ処理部１３は、データ格納部２１から測定年月日の異なる過去のデータを複数読み出し、それらを１つのメインマップ（又は要素マップ）上に表示する機能を有する（図１７参照）。その際、測定年月日の隣接するデータどうしを直線で結んで表示する。このように表示させることで過去の履歴を比較することができ、健康状態の時間遷移を視覚的に把握できる。
【００５７】
以上のように本実施形態のシステムによれば、加速度脈波の波形データから取得した４つの要素（血管の状態、ばらつき、脈拍、周期安定性）に基づきＳＯＭを作成し、そのＳＯＭに基づき被験者の健康状態の判定の支援を可能とする。
【００５８】
本実施形態によれば、血管の状態（加速度脈波の波形形状）、加速度脈波の波形のばらつき、脈拍数、加速度脈波の周期安定性の４つの要素に基づく自己組織化マップを用いて健康状態の判定情報を提示できる。これにより、数値ではなく、マップ上の位置で被験者の健康状態を特定できるため、種々の情報に基づく健康状態を一目で把握でき、４要素の情報を総合的に考慮した健康状態の把握が容易にかつ精度よく実現できる。
【００５９】
（実施の形態２）
実施の形態１では、血管の状態、ばらつき、脈拍、周期安定性の４つの要素に基づき脈情報マップを作成したが、本実施形態では、さらにカオスに関する２つのパラメータを追加した合計６つの要素に基づき脈情報マップを作成し、その脈情報マップを用いた健康状態の判定の支援を可能とする。カオスに関するパラメータとしてＴＰＭとＲＰ−ｄｗを追加する。入力ベクトルの例を下記表２に示す。
【表２】
0005296392.tif 000006
【００６０】
脈波波形のカオス診断システムとしては、市販のSalus APGがある。このようなシステムを用いて加速度脈波を解析してＴＰＭ，ＲＰ−ｄｗの値を求めることができる。
【００６１】
ＴＰＭは軌道平行測度であり、局所血流のレオロジーの乱雑さを示す。例えば、薬剤投与や交感神経緊張状態、炎症性疾患ではＴＰＭの値は低い値となり，脱水や末梢循環不全を呈する病態では逆に高い値を示すことが観察されている。ＲＰ−ｄｗは、解析範囲全体における定常度比率を指標化するリカレンスプロットにおける白点打刻率である。ＴＰＭの値、ＲＰ−ｄｗの値の組み合わせで、交感神経・副交感神経系の亢進状態の変化を推定できる。つまり、これらのパラメータを追加したＳＯＭを用いることで、自律神経失調状態の変化を知ることが出来ると考えられる。
【００６２】
ＴＰＭの値、ＲＰ−ｄｗの値を入力するために、例えば、図１８Ａに示すように、データ保存画面において６項目入力ボタン５５を追加してもよい。６項目入力ボタン５５が押下されると、図１８Ｂに示すようなＴＰＭとＲＰ−ｄｗのデータを入力する画面を表示するようにしてもよい。図１８Ｂに示す画面上においてメインマップボタン、要素マップボタンを押下することで、メインマップ、要素マップを表示させることができる。
【００６３】
図１９に、４つの要素（血管の状態、ばらつき、脈拍、周期安定性）に加えて２つのカオスに関するパラメータ（ＴＰＭ，ＲＰ−ｄｗ）を加えた６つの要素で作成したメインマップを示した図である。図２０、図２１に要素マップを示す。図１９において、領域Ｇは健康点数が０点の領域とその近傍領域すなわち健康であることを示す領域である。領域Ｂは健康点数が１００点の領域とその近傍領域すなわち健康状態が最悪であることを示す領域である。図１９と図２１を対比させると、図２１（ｅ）、（ｆ）に示す要素マップにおける１／ＴＰＭ及びＲＰ−ｄｗが良くない領域と、図１９のメインマップにおいて健康点数が１００点となる領域Ｂとが重なっていることから、１／ＴＰＭ及びＲＰ−ｄｗの悪い人は健康点数の悪い結果を示すことがわかる。
【００６４】
以上のようにカオス解析による２つのパラメータを追加することでさらにより精度よく健康状態の判定が可能になると考えられる。
【図面の簡単な説明】
【００６５】
【図１】本発明の実施の形態１の健康状態判定支援システムの構成図
【図２】脈波マップの例を示した図
【図３】加速度脈波の波形のばらつきの求め方を説明するための図
【図４】健康状態判定支援システムで取り扱うメインマップ（４要素）の例を示した図
【図５】健康状態判定支援システムで取り扱う要素マップ（４要素）の例を示した図
【図６】脈情報マップの作成処理のフローチャート
【図７】健康状態判定支援システムの診断画面を示す図
【図８】脈波解析による健康状態の判定処理のフローチャート
【図９】５５歳の女性の被験者の健康状態の判定結果を示した図
【図１０】図９に示すデータの被験者のメインマップを示した図
【図１１】メインマップの表示処理のフローチャート
【図１２】図９に示すデータの被験者の要素マップを示した図
【図１３】インフルエンザに感染した６歳男性被験者の健康状態の判定結果を示した図
【図１４】図１３に示すデータの被験者のメインマップを示した図
【図１５】図１３に示すデータの被験者の要素マップを示した図
【図１６】実施の形態１におけるデータ保存画面を示した図
【図１７】過去の履歴データを表示したメインマップを示した図
【図１８Ａ】実施の形態２におけるデータ保存画面を示した図
【図１８Ｂ】カオス解析のパラメータ（ＴＰＭ、ＲＰ−ｄｗ）を入力するための画面を示した図
【図１９】健康状態判定支援システムで取り扱うメインマップ（６要素）の例を示した図
【図２０】健康状態判定支援システムで取り扱う要素マップ（血管の状態、ばらつき、脈拍、周期安定性）の例を示した図
【図２１】健康状態判定支援システムで取り扱う要素マップ（ＴＰＭ、ＲＰ−ｄｗ）の例を示した図
【図２２】加速度脈波を説明するための図
【図２３】佐野・小山内法による加速度脈波の分類を説明した図
【符号の説明】
【００６６】
１  情報処理装置（健康状態判定支援システム主要部）
１１  制御部
１３  ＳＯＭ処理部
１５  脈波測定部
１７  表示部
１９  操作部
２１  データ格納部
２３  ＡＤ変換器
２５  インタフェース
３１  センサ
３３  増幅器
【図１】
0005296392.tif 000007
【図２】
0005296392.tif 000008
【図３】
0005296392.tif 000009
【図６】
0005296392.tif 000010
【図７】
0005296392.tif 000011
【図８】
0005296392.tif 000012
【図９】
0005296392.tif 000013
【図１０】
0005296392.tif 000014
【図１１】
0005296392.tif 000015
【図１２】
0005296392.tif 000016
【図１３】
0005296392.tif 000017
【図１４】
0005296392.tif 000018
【図１５】
0005296392.tif 000019
【図１６】
0005296392.tif 000020
【図１７】
0005296392.tif 000021
【図１８Ａ】
0005296392.tif 000022
【図１８Ｂ】
0005296392.tif 000023
【図２２】
0005296392.tif 000024
【図２３】
0005296392.tif 000025
【図４】
0005296392.tif 000026
【図５】
0005296392.tif 000027
【図１９】
0005296392.tif 000028
【図２０】
0005296392.tif 000029
【図２１】
0005296392.tif 000030